(57)【特許請求の範囲】
【請求項１】
建物の温熱環境を向上させる改修方法であって、
玄関土間と前記玄関土間よりも高い床面を有する玄関ホールとの境界に沿うように開閉自在な仕切り部を設け、
前記玄関ホールは、前記玄関土間との前記境界に沿った上がり框を備え、
前記仕切り部の室内側面の少なくとも一部を、前記上がり框の見付け面に当接させることを特徴とする改修方法。
【請求項２】
建物の温熱環境を向上させる改修方法であって、
玄関土間と前記玄関土間よりも高い床面を有する玄関ホールとの境界に沿うように開閉自在な仕切り部を設け、
前記玄関ホールは、前記玄関土間との前記境界に沿った上がり框を備え、
前記仕切り部は、懸垂式の引き戸であり、
前記引き戸の室内側面の少なくとも一部を、前記上がり框の見付け面に対向させ、
前記上がり框に対して前記引き戸のスライド方向に延在するレール部を設け、
前記引き戸に対して前記レール部に係止される係止部を設けることを特徴とする改修方法。
【請求項３】
前記玄関土間の壁部に発熱装置を設けることを特徴とする請求項１又は請求項２に記載の改修方法。
【請求項４】
前記玄関土間の壁部または天井部に吸放湿材を設けることを特徴とする請求項１から請求項３の何れか一項に記載の改修方法。
【請求項５】
玄関土間と、前記玄関土間よりも高い床面を有する玄関ホールとを備え、建物の温熱環境を向上させた玄関構造であって、
前記玄関土間と前記玄関ホールとの境界に沿って、開閉自在な仕切り部が設けられており、
前記玄関ホールは、前記玄関土間との前記境界に沿った上がり框を備え、
前記仕切り部の室内側面の少なくとも一部が、前記上がり框の見付け面に当接していることを特徴とする玄関構造。
【請求項６】
玄関土間と、前記玄関土間よりも高い床面を有する玄関ホールとを備え、建物の温熱環境を向上させた玄関構造であって、
前記玄関土間と前記玄関ホールとの境界に沿って、開閉自在な仕切り部が設けられており、
前記玄関ホールは、前記玄関土間との前記境界に沿った上がり框を備え、
前記仕切り部は、懸垂式の引き戸であり、
前記引き戸の室内側面の少なくとも一部が、前記上がり框の見付け面に対向しており、
前記上がり框に対して前記引き戸のスライド方向に延在するレール部が設けられており、
前記引き戸に対して前記レール部に係止される係止部が設けられていることを特徴とする玄関構造。
【請求項７】
玄関土間と、前記玄関土間よりも高い床面を有する玄関ホールとを備え、建物の温熱環境を向上させた玄関構造であって、
前記玄関土間と前記玄関ホールとの境界に沿って、開閉自在な仕切り部が設けられており、
前記玄関ホールは、前記玄関土間との前記境界に沿った上がり框を備え、
前記仕切り部の室内側面の少なくとも一部が、前記上がり框の見付け面に対向しており、
前記仕切り部の下端が、前記上がり框の踏面よりも下方に位置していることを特徴とする玄関構造。
【請求項８】
前記仕切り部の下端が、前記上がり框の下端付近に位置していることを特徴とする請求項７に記載の玄関構造。
【請求項９】
玄関土間と、前記玄関土間よりも高い床面を有する玄関ホールとを備え、建物の温熱環境を向上させた玄関構造であって、
前記玄関土間と前記玄関ホールとの境界に沿って、開閉自在な仕切り部が設けられており、
前記玄関ホールは、前記玄関土間との前記境界に沿った上がり框を備え、
前記仕切り部の室内側面の少なくとも一部が、前記上がり框の見付け面に対向しており、
前記仕切り部の室内側面と前記上がり框との間に形成される空隙部を下方から塞ぐ部材を備えることを特徴とする玄関構造。
【請求項１０】
建物の温熱環境を向上させる改修方法であって、
玄関土間と前記玄関土間よりも高い床面を有する玄関ホールとの境界に沿うように開閉自在な仕切り部を設け、
前記玄関ホールは、前記玄関土間との前記境界に沿った上がり框を備え、
前記仕切り部は、懸垂式の引き戸であり、
前記引き戸の室内側面の少なくとも一部を、前記上がり框の見付け面に当接させることを特徴とする改修方法。
【請求項１１】
前記上がり框に対して前記引き戸のスライド方向に延在するレール部を設け、
前記引き戸に対して前記レール部に係止される係止部を設けることを特徴とする請求項１０に記載の改修方法。
【発明の詳細な説明】
【技術分野】
【０００１】
本発明は、建物の室内空間の温熱環境を向上させる改修方法及び玄関構造に関する。
【背景技術】
【０００２】
地球温暖化抑制の観点により、最近の新築建物においては高断熱化が推進されている。その一方で、既存の建物においては、断熱性が新築の建物より低い場合が多く、改修等により断熱性を向上させることが望まれている。
【０００３】
そこで、例えば下記特許文献１では、建物の室内側の壁や天井を撤去することなく、断熱パネルを重ね貼りして建物の断熱性を向上させる断熱リフォーム方法が開示されている。
【先行技術文献】
【特許文献】
【０００４】
【特許文献１】特開２０１３−１２４４９０号公報
【発明の概要】
【発明が解決しようとする課題】
【０００５】
しかしながら、上記特許文献１では、建物の壁や天井の断熱性を向上させる改修方法について言及されているものの、玄関の断熱性を向上する改修方法については記載されていない。一般に建物に設けられた玄関ドアは壁や天井に比べて断熱性が低く、また玄関土間の床面は一般に断熱性の低いタイルで仕上げられている。これらにより、玄関土間は他の室内空間に比べて室温が下がりやすく、特に冬場においては、玄関土間の冷気が屋内側の他の室内空間に流入して温熱環境が損なわれるという問題がある。
【０００６】
本発明は、以上の課題を解決することを目的としており、既存の建物において、玄関土間の冷気が屋内側の他の室内空間に流入することを抑制し、建物の室内空間の温熱環境を向上させることを目的とする。
【課題を解決するための手段】
【０００７】
上記課題を解決すべく、本発明は、建物の温熱環境を向上させる改修方法であって、玄関土間と玄関土間よりも高い床面を有する玄関ホールとの境界に沿うように開閉自在な仕切り部を設けることを特徴とする。
【０００８】
また、本発明は、玄関土間と、玄関土間よりも高い床面を有する玄関ホールとを備え、建物の温熱環境を向上させた玄関構造であって、玄関土間と玄関ホールとの境界に沿って、開閉自在な仕切り部が設けられたことを特徴とする。
【０００９】
本発明に係る改修方法及び玄関構造によれば、仕切り部を閉じることで、玄関土間の冷気が玄関ホールへ流入することを抑制できる。これにより、当該冷気が屋内側の他の室内空間に流入することを抑制し、室内空間の温熱環境を向上させることができる。また、仕切り部が玄関土間と玄関ホールとの境界に沿って設けられているため、玄関土間及び玄関ホールが、仕切り部を設けることにより狭くなることを抑制できる。これにより、玄関土間と玄関ホールとの使い勝手に影響が出ることを抑制できる。
【００１０】
また、玄関ホールは、玄関土間との境界に沿った上がり框を備え、仕切り部は、懸垂式の引き戸であり、引き戸の室内側面の少なくとも一部を、上がり框の見付け面に当接させると好適である。この場合、上がり框の見付け面の上下寸法を、引き戸の厚みよりも大きくすることで、引き戸の下面を上がり框の踏面に当接させる場合と比べて、引き戸と上がり框とを当接させる部位において、冷気が通過する経路を長くし易い。これにより、玄関土間の冷気が屋内側の他の室内空間に流入することを更に抑制できる。また、懸垂式の引き戸の室内側面の少なくとも一部を上がり框の見付け面に当接させるので、玄関ドアを開いたときに屋外から玄関土間へ風が吹き込んでも、当該風によって懸垂式の引き戸が上がり框に押し付けられるため、懸垂式の引き戸がばたつくことを抑制できる。
【００１１】
また、上がり框に対して引き戸のスライド方向に延在するレール部を設け、引き戸に対してレール部に係止される係止部を設けると好適である。この場合、レール部に係止される係止部によって、引き戸がレール部の延在方向と直交する方向にばたつく動きが規制される。これにより、引き戸と上がり框とを当接させる部位に隙間が発生することが防止され、冬場の玄関土間の冷気が屋内側の他の室内空間に流入することを抑制できる。
【００１２】
また、玄関土間の壁面に発熱装置を設けると好適である。この場合、仕切り部によって仕切られた玄関土間の室温の低下を防止して、玄関土間における結露の発生を抑制できる。しかも、床面等に比べて壁面は発熱装置の後付け工事が比較的容易にできる。
【００１３】
また、玄関土間の壁面または天井面に吸放湿材を設けると好適である。この場合、仕切り部によって仕切られた玄関土間において湿度が高くなった際に、吸放湿材が湿気を吸収して、玄関土間に結露が発生することを抑制できる。
【発明の効果】
【００１４】
本発明によれば、建物において、玄関土間の冷気が屋内側の他の室内空間に流入することを抑制し、建物の室内空間の温熱環境を向上させることができる。
【図面の簡単な説明】
【００１５】
【図１】本発明を適用可能な建物の一例を示す部分平面図である。
【図２】図１におけるＩＩ−ＩＩ線に沿った断面図である。
【図３】本発明の実施形態に係る玄関構造を示す平面図である。
【図４】図３におけるＩＶ−ＩＶ線に沿った断面図である。
【図５】図４におけるＶ−Ｖ線に沿った断面図である。
【図６】仕切り部及び上がり框を示す拡大断面図である。
【図７】仕切り部及び上がり框を示す拡大平面図である。
【図８】発熱装置の配置の一例を示す図である。
【発明を実施するための形態】
【００１６】
以下、添付図面を参照して、本発明の実施形態について詳細に説明する。なお、以下の説明において、同一要素又は同一機能を有する要素には、同一符号を用いることとし、重複する説明は適宜に省略する。
【００１７】
まず、図１、図２を参照して、既存の建物１について説明する。本実施形態において、建物１は鉄骨造の工業化住宅である。建物１は、外壁として例えば軽量気泡コンクリートパネルが用いられ、断熱材として、例えばポリスチレンフォームやフェノールフォームが外壁内側面に沿って設けられている。なお、建物１としては、鉄骨造に限定されず、例えば木造、鉄筋コンクリート造等の各種工法によって建設されたものであってもよい。また、建物１の用途は、住宅に限定されず、例えばオフィス、店舗等として使用されるものであってもよい。
【００１８】
建物１の間取りの概略について説明する。建物１は、玄関土間３と、玄関ホール４と、を有する玄関２を備えている。図１に示す例では、玄関２は、建物１の１階の南東に設けられている。
【００１９】
玄関土間３は、靴を履いたまま通行する領域であり、玄関土間３の床面８は、建物１の１階の床面よりも一段低く、建物１の屋外の玄関ポーチ（図示省略）と同程度の高さに形成されている。玄関土間３は、一例として、幅１７００ｍｍ×奥行１３００ｍｍ程度の広さを有している。また、玄関土間３は、南側の壁部３０ａにおける左右方向の中央付近に玄関ドア３１が設けられ、玄関ドア３１の両脇の袖壁には、採光のため、単板網入ガラスを使用した嵌め殺し窓７が設けられている。また、玄関土間３は、東側の壁部３０ｂに沿って玄関収納６が設けられている。
【００２０】
玄関土間３の床面８は、タイルで仕上げられている。玄関土間３の壁部３０は、幅木１１の上方と下方とで構成が異なる。幅木１１の上方の壁部３０は、軽鉄または木製の壁下地と、壁下地に固定された石膏ボードと、石膏ボードに貼られたクロスと、からなる。幅木１１の下方の壁部３０は、モルタル下地と、床面８と同様の意匠となるようにタイルと、からなる。また、玄関土間３の天井部３２は、軽鉄または木製の天井下地と、天井下地に固定された石膏ボードと、石膏ボードに貼られたクロスと、からなる。なお、玄関土間３の床面８、壁部３０、天井部３２の材質は、上述したものに限定されない。
【００２１】
玄関ドア３１は、建物１の屋外と屋内との間の出入り口を開閉するためのものであり、扉面材や骨組み等の主構成部材に鋼材が使用された鋼製のドアである。玄関ドア３１が開くと、建物１の屋外と屋内とが連通される。
【００２２】
玄関ホール４は、靴を脱いで通行する領域であり、玄関土間３の北側に隣接して設けられている。玄関ホール４は、玄関土間３よりも一段高い床面を有しており、建物１の１階の床面と連続して形成されている。玄関土間３と玄関ホール４との床面の段差は約１７０ｍｍである。玄関ホール４は、玄関土間３との段差となる境界１０に沿って、上がり框１３が横設されている。
【００２３】
玄関ホール４は、幅１７００ｍｍ程度×奥行１３００ｍｍ程度の広さを有しており、玄関ホール４の床面９は、例えばフローリングで仕上げられている。また、玄関ホール４の床面９と壁部４０との見切りとして幅木１１が設けられており、幅木１１は、玄関土間３の領域まで延設されている。また、玄関ホール４は、玄関２の西側に設けられた居間５と片開きドア１２によって接続されている。
【００２４】
上がり框１３は、玄関ホール４と玄関土間３との境界１０に沿って設けられている。上がり框１３は、玄関ホール４の床面と玄関土間３のタイルの立ち上がり面との間の見切り材として機能しており、見栄えに配慮して所定の厚みを有している。本実施形態では、上がり框１３は木製であり、踏面は幅１７００ｍｍ×奥行１５０ｍｍ程度、見付け面は幅１７００ｍｍ×高さ８０ｍｍ程度である。上がり框１３は、玄関ホール４から玄関土間３側に突出した突出部１３ａを有している。突出部１３ａの下面（裏面）には、第１レール２１Ａ及び第２レール２１Ｂを備えた金属製のレール部２１がビス等で取り付けられている。第１レール２１Ａ及び第２レール２１Ｂは、それぞれ上がり框１３の長手方向に沿って、第１レール２１Ａが玄関土間３側、第２レール２１Ｂが玄関ホール４側となるように並設されている。
【００２５】
次に、図３、図４、図５を参照して、改修工事によって、既存の建物１の玄関土間３と玄関ホール４との境界１０に沿って、開閉自在な仕切り部１４が設けられた玄関構造について説明する。仕切り部１４は、引違いの二枚の建具１５と、上枠１６及び一対の縦枠１７からなる建具枠１８と、によって構成されている。建具１５は、引き戸であり、玄関ホール４側に配置された第１建具１５Ａ、及び玄関土間３側に配置された第２建具１５Ｂからなる。
【００２６】
上枠１６は、玄関土間３の天井部３２に、玄関２の左右にわたって設けられている。一対の縦枠１７は、玄関ホール４の床面９から立ち上がるように壁部３０に沿って設けられ、上端で上枠１６の下面に当接する。上枠１６には第１建具１５Ａ及び第２建具１５Ｂをそれぞれ吊る為の金属製の二本の懸垂レール１９Ａ，１９Ｂが設けられている。第１建具１５Ａ及び第２建具１５Ｂの上部にそれぞれ取り付けられた吊り金物２０Ａ，２０Ｂが上枠１６の二本の懸垂レール１９Ａ，１９Ｂに嵌め込まれることで、上枠１６は、第１建具１５Ａ及び第２建具１５Ｂを吊り下げた状態で支持する。上枠１６は、天井部３２に固定されることで建具１５の荷重を支持する。これと共に、上枠１６は、縦枠１７によって下方から支持されることで建具１５の荷重を支持してもよい。具体的には、上枠１６と縦枠１７との取り合い部において上枠１６が縦枠１７に勝つように納められ、上枠１６の両端は、一対の縦枠１７の各上端によってそれぞれ下方から支持される。なお、上枠１６の厚みは約３０ｍｍ、縦枠１７の厚みは約３５ｍｍである。縦枠１７の下部は、幅木１１に対して勝ち納まりとなっている。
【００２７】
建具１５は、基本的に木製であり、一枚当たり幅８５０ｍｍ×高さ２５００ｍｍ×厚み３５ｍｍ程度である。建具１５は建具枠１８から着脱自在であるので、夏場等、建具１５を設けておく必要がなくなった場合には、建具１５を取り外して他の場所に保管しておいてもよい。なお、建具１５は、上記の材質、大きさ、形状等に限定されるものではなく、玄関土間３と玄関ホール４との間の空気の流れを妨げることができればよい。また、玄関土間３と玄関ホール４との間の空気の流れを略完全に遮断してもよく、完全には遮断せずに妨げるだけでもよい。
【００２８】
建具１５は、玄関土間３と玄関ホール４との境界１０に沿うように開閉自在に設けられている。具体的には、建具１５を形成する第１建具１５Ａ及び第２建具１５Ｂは、上枠１６に設けられた懸垂レール１９Ａ，１９Ｂに案内されて、玄関土間３と玄関ホール４との境界１０の段差に沿うように開閉する。また、建具１５は、玄関土間３と玄関ホール４との境界１０の段差の側面に対して、玄関土間３側から第１建具１５Ａの室内側面２５の少なくとも一部が当接するように設けられている。特に、本実施形態において、第１建具１５Ａは、後述する第１モヘア部２８Ａが上がり框１３の見付け面１３ｂに当接する。
【００２９】
第１建具１５Ａ及び第２建具１５Ｂを、玄関収納６側又は玄関収納６とは反対側の何れかに寄せることで、玄関土間３と玄関ホール４との間を人が行き来することができる。なお、本実施形態においては、図３に示すように、玄関土間３の東側の壁部３０ｂに沿って玄関収納６が設けられている。このため、第２建具１５Ｂを玄関収納６側に寄せたまま、図中に矢印Ａで示すように第１建具１５Ａを開閉することで、玄関収納６によって動線が妨げられることなく、玄関土間３と玄関ホール４との間をスムーズに人が行き来することができる。
【００３０】
次に、図６、図７を参照して、建具１５と上がり框１３との取り合い部について説明する。建具１５は、その下端位置が上がり框１３の下端位置よりも下方となるように設けられている。第１建具１５Ａと上がり框１３との間に隙間が生じないよう、第１建具１５Ａは、室内側面２５の下部に、上がり框１３の見付け面１３ｂに対向する位置の全幅にわたって第１モヘア部２８Ａを備えている。これにより、第１建具１５Ａの第１モヘア部２８Ａが上がり框１３の見付け面１３ｂに当接されるため、第１建具１５Ａと上がり框１３との隙間を介して玄関土間３の冷気が玄関ホール４側に流入することを抑制できる。また、二枚の建具１５の召合わせ部分にも隙間が生じないよう、第２建具１５Ｂは、室内側面２６に、召し合わせ部分の全高にわたって第２モヘア部２８Ｂを備えている。これにより、第２建具１５Ｂの第２モヘア部２８Ｂが第１建具１５Ａに当接されるため、第１建具１５Ａと第２建具１５Ｂとの隙間を介して玄関土間３の冷気が玄関ホール４側に流入することを抑制できる。
【００３１】
建具１５の厚みは３５ｍｍ程度であるため、仮に建具１５の下面を上がり框１３の踏面１３ｃに当接させた場合、建具１５と上がり框１３とが当接する部位において、玄関土間３から玄関ホール４へ流入しようとする冷気が通過する経路は３５ｍｍ程度である。これに対し、本実施形態では、建具１５が当接する上がり框１３の見付け面１３ｂの高さ（上下寸法）は８０ｍｍ程度であるため、建具１５と上がり框１３とが当接する部位において、冷気が通過する経路は８０ｍｍ程度である。従って、本実施形態では、建具１５を上がり框１３の見付け面１３ｂに当接させることで、建具１５と上がり框１３とが当接する部位において冷気が通過する経路をより長くできるため、冷気を遮断する効果が高い。
【００３２】
第１建具１５Ａの下面には、第１水平片２２Ａと第１垂直片２３Ａとを有する第１Ｌ形状金物２４Ａ（係止部）がビス等で取り付けられている。第１Ｌ形状金物２４Ａは、第１建具１５Ａのスライド方向に垂直な断面がＬ形状をなしており（図６参照）、第１建具１５Ａの全幅にわたって設けられている。第１水平片２２Ａは、第１建具１５Ａの下面から玄関ホール４側に、玄関土間３と玄関ホール４との境界１０の段差までは到達しない位置まで、略水平に延びている。第１垂直片２３Ａは、第１水平片２２Ａの玄関ホール４側の端部から上方に、上がり框１３の突出部１３ａの下面付近まで延びている。第１垂直片２３Ａの上端部は、上がり框１３の突出部１３ａの下面に取り付けられた第１レール２１Ａに係止され、第１建具１５Ａが前後にばたつく動きを規制する。第１垂直片２３Ａの上端部は、第１建具１５Ａの開閉に伴って第１レール２１Ａを第１建具１５Ａのスライド方向に摺動する。
【００３３】
第２建具１５Ｂの下面には、スペーサー２７を挟んで、第２水平片２２Ｂと第２垂直片２３Ｂとを有する第２Ｌ形状金物２４Ｂ（係止部）がビス等で取り付けられている。スペーサー２７は、第２水平片２２Ｂが第１水平片２２Ａと接触しないように、第２水平片２２Ｂの取り付け位置を下方にオフセットさせるためのものである。第２Ｌ形状金物２４Ｂは、第２建具１５Ｂのスライド方向に垂直な断面がＬ形状をなしており（図６参照）、第２建具１５Ｂの全幅にわたって設けられている。第２水平片２２Ｂは、第２建具１５Ｂの下面から玄関ホール４側に、玄関土間３と玄関ホール４との境界１０の段差までは到達しない位置であって、第１水平片２２Ａの玄関ホール４側の端部よりも玄関ホール４側の位置まで、略水平に延びている。第２垂直片２３Ｂは、第２水平片２２Ｂの玄関ホール４側の端部から上方に、上がり框１３の突出部１３ａの下面付近まで延びている。第２垂直片２３Ｂの上端部は、上がり框１３の突出部１３ａの下面に取り付けられた第２レール２１Ｂに係止され、第２建具１５Ｂが前後にばたつく動きを規制する。第２垂直片２３Ｂの上端部は、第２建具１５Ｂの開閉に伴って第２レール２１Ｂを第２建具１５Ｂのスライド方向に摺動する。
【００３４】
第２Ｌ形状金物２４Ｂは、第２建具１５Ｂの室内側面２６と上がり框１３との間に形成される空隙部２９を下方から塞いでいる。これにより、空隙部２９を介して玄関土間３の冷気が玄関ホール４側に流入することを抑制できる。
【００３５】
次に、図８を参照して、発熱装置３３及び吸放湿材３４について説明する。発熱装置３３は、温水循環式のパネル型暖房器具であり、玄関土間３の壁部３０に設けられている。発熱装置３３の厚みは約２０ｍｍである。発熱装置３３は、パネル内部に仕込まれた配管を温水が循環することで輻射熱を発生し、玄関土間３における結露の発生を抑制することができる。なお、発熱装置３３としては特に限定されず、玄関土間３の室温を上げることができればよく、例えば、オイルヒーター、蓄熱暖房機（レンガ等の蓄熱体を組み込んだもの）、電気式ヒーター等を適用してもよい。
【００３６】
吸放湿材３４は、水蒸気を吸着する材料であって、例えば多数の細孔部を有した珪藻土である。吸放湿材３４は、５ｍｍ〜１０ｍｍ程度の厚みを有する。吸放湿材３４は、玄関土間３の湿度が上がると湿気を吸収し、且つ、玄関土間３の湿度が下がると吸い込んだ湿気を放出する。吸放湿材３４は、玄関土間３の壁部３０のうち幅木１１よりも上部において、クロスを剥がし、露出した石膏ボードに対して下地処理をした後に塗り付けられている。また、意匠的な連続性を考慮して玄関ホール４の壁部４０も同一の吸放湿材３４で仕上げられていてもよい。なお、吸放湿材３４としては、珪藻土に限定されず、例えば、セラミック系、ケイ酸カルシウム系、木質系の材料等を適用してもよい。
【００３７】
以上、本実施形態に係る改修方法及び玄関構造によれば、仕切り部１４の建具１５を閉じることで、玄関土間３の冷気が玄関ホール４へ流入することを抑制できる。これにより、当該冷気が屋内側の他の室内空間に流入することを抑制し、室内空間の温熱環境を向上させることができる。また、仕切り部１４が玄関土間３と玄関ホール４との境界１０に沿って設けられているため、玄関土間３及び玄関ホール４が、仕切り部１４を設けることにより狭くなることを抑制できる。これにより、玄関土間３と玄関ホール４との使い勝手に影響が出ることを抑制できる。
【００３８】
また、本実施形態に係る改修方法によれば、仕切り部１４は、懸垂式の引き戸である建具１５を備え、玄関ホール４は、玄関土間３との境界１０に沿った上がり框１３を備え、建具１５の室内側面２５の少なくとも一部を、上がり框１３の見付け面１３ｂに当接させる。この場合、上がり框１３の見付け面１３ｂの上下寸法を、建具１５の厚みよりも大きくすることで、建具１５の下面を上がり框１３の踏面１３ｃに当接させる場合と比べて、建具１５と上がり框１３とを当接させる部位において、冷気が通過する経路を長くし易い。これにより、玄関土間３の冷気が屋内側の他の室内空間に流入することを更に抑制できる。また、建具１５の室内側面２５の少なくとも一部を上がり框１３の見付け面１３ｂに当接させるので、玄関ドア３１が開いたときに屋外から玄関土間３へ風が吹き込んでも、当該風によって建具１５が上がり框１３に押し付けられるため、建具１５がばたつくことを抑制できる。
【００３９】
また、本実施形態に係る改修方法によれば、上がり框１３に対して建具１５のスライド方向に延在するレール部２１を設け、建具１５に対してレール部２１に係止される係止部２４を設ける。この場合、レール部２１及び係止部２４によって、建具１５がレール部２１の延在方向と直交する方向にばたつく動きが規制される。これにより、建具１５と上がり框１３とを当接させる部位に隙間が発生することが防止され、冬場の玄関土間３の冷気が屋内側の他の室内空間に流入することを抑制できる。
【００４０】
また、本実施形態に係る改修方法によれば、玄関土間３の壁部３０に発熱装置３３を設ける。玄関土間３は、玄関ドア３１や床面８のタイル等の断熱性が低く室温が下がり易い。また、建具１５によって玄関土間３と玄関ホール４とを仕切った場合、室内の温かい空気が循環しないため、玄関土間３は、更に室温が下がり易い。このため、玄関土間３は、結露が発生し易い環境となるが、発熱装置３３を設けることで仕切り部１４によって仕切られた玄関土間３の室温の低下を防止して、玄関土間３における結露の発生を抑制できる。しかも、床面８等に比べて壁部３０は発熱装置３３の後付け工事が比較的容易にできる。
【００４１】
また、本実施形態に係る改修方法によれば、玄関土間３の壁部３０に吸放湿材３４を設ける。この場合、仕切り部１４によって仕切られた玄関土間３において湿度が高くなった際に、吸放湿材３４が湿気を吸収して、玄関土間３に結露が発生することを抑制できる。
【００４２】
以上、本発明の実施形態に基づいて説明したが、本発明は上記の実施形態のみに限定されない。例えば、上記実施形態における仕切り部１４は、引違いの二枚の建具１５としたが、三枚以上の建具や折れ戸であってもよい。この場合、建具を片側に寄せることで人が行き来するための通路部を広く確保することができる。
【００４３】
また、上がり框１３に沿って、玄関収納６側の略半分の範囲に間仕切り壁を新設して、残りの範囲に仕切り部１４である片引き戸を設けても良い。
【００４４】
また、建具１５の面材の一部にガラスを用いても良い。この場合、建具１５を閉めた状態であっても、玄関土間３側から玄関ホール４側への採光を確保したり、玄関ホール４側から玄関土間３側を視認したりすることができる。
【００４５】
また、建具１５の上枠１６を固定する天井部３２の下地材が、建具１５の荷重を支持するのに必要な強度を有している場合には、縦枠１７を設けることなく、上枠１６のみを設けても良い。
【００４６】
また、本実施形態では、レール部２１及び係止部２４として、第１建具１５Ａのばたつく動きを規制する第１レール２１Ａ及び第１Ｌ形状金物２４Ａと、第２建具１５Ｂのばたつく動きを規制する第２レール２１Ｂ及び第２Ｌ形状金物２４Ｂと、を有することとしたが、第２レール２１Ｂ及び第２Ｌ形状金物２４Ｂのみを有することとしてもよい。この場合であっても、第１建具１５Ａは、第２建具１５Ｂによって玄関ホール４側に押されることで、上がり框１３の見付け面１３ｂに押し付けられるため、ばたつく動きが規制される。
【符号の説明】
【００４７】
１…建物、３…玄関土間、４…玄関ホール、１０…境界、１３…上がり框、１４…仕切り部、１５Ａ…第１建具、１５Ｂ…第２建具、１６…上枠、２１…レール部、２４…係止部、３３…発熱装置、３４…吸放湿材。
【図１】
0006480146.tif 000002
【図２】
0006480146.tif 000003
【図３】
0006480146.tif 000004
【図４】
0006480146.tif 000005
【図５】
0006480146.tif 000006
【図６】
0006480146.tif 000007
【図７】
0006480146.tif 000008
【図８】
0006480146.tif 000009